(57)【特許請求の範囲】
【請求項１】
ゲインを増大させるために負のインピーダンスを利用するパッシブイコライザであって、
第１の抵抗器と、第１のノードで前記第１の抵抗器に直列に接続され、それによって第１の抵抗器直列を形成する第２の抵抗器と、前記第１の抵抗器直列に並列に接続される第１のコンデンサとを有する第１のＲＣループと、
第３の抵抗器と、第２のノードで前記第３の抵抗器に直列に接続され、それによって第２の抵抗器直列を形成する第４の抵抗器と、前記第２の抵抗器直列に並列に接続される第２のコンデンサとを有する第２のＲＣループと、
前記第１のノードと前記第２のノードとの間に接続され、第５の抵抗器と、第６の抵抗器と、前記第５の抵抗器と前記第６の抵抗器との間に接続されるインダクタとを有するカスケードＲＬ回路と、
前記カスケードＲＬ回路に並列に接続され、前記第１のノードと前記第２のノードとの間に接続される交差結合反転器ユニットと、を備え、
前記交差結合反転器ユニットは、前記第１のノードに接続された入力端子及び前記第２のノードに接続された出力端子を有する第１反転器と、前記第２のノードに接続された入力端子及び前記第１のノードに接続された出力端子を有する第２反転器とを備え、前記第１反転器と前記第２反転器とは前記第１のノードと前記第２のノードとの間に並列に接続されてなり、負のインピーダンス特性を有する、ことを特徴とするパッシブイコライザ。
【請求項２】
前記交差結合反転器ユニットは、第１の反転器および第２の反転器を備える、請求項１に記載のパッシブイコライザ。
【請求項３】
前記第１の反転器は、前記第１のノードに接続される入力端子と、前記第２のノードに接続される出力端子とを有し、前記第２の反転器は、前記第２のノードに接続される入力端子と、前記第１のノードに接続される出力端子とを有する、請求項２に記載のパッシブイコライザ。
【請求項４】
ゲインを増大させるために負のインピーダンスを利用するパッシブイコライザであって、
第１の抵抗器と、第１のノードで前記第１の抵抗器に直列に接続され、それによって第１の抵抗器直列を形成する第２の抵抗器と、前記第１の抵抗器直列に並列に接続される第１のコンデンサとを有する第１のＲＣループであって、前記第１のＲＣループの２つの端部が、差分正入力端子および差分正出力端子としてそれぞれ機能する第１のＲＣループと、
第３の抵抗器と、第２のノードで前記第３の抵抗器に直列に接続され、それによって第２の抵抗器直列を形成する第４の抵抗器と、前記第２の抵抗器直列に並列に接続される第２のコンデンサとを有する第２のＲＣループであって、前記第２のＲＣループの２つの端部が、差分負入力端子および差分負出力端子としてそれぞれ機能する第２のＲＣループと、
前記第１のノードと前記第２のノードとの間に接続され、第５の抵抗器と、第６の抵抗器と、前記第５の抵抗器と前記第６の抵抗器との間に接続されるインダクタとを有するカスケードＲＬ回路と、
前記カスケードＲＬ回路に並列に接続され、前記差分正入力端子と前記差分負入力端子との間に接続される第１の交差結合反転器ユニットと、
前記カスケードＲＬ回路に並列に接続され、前記差分正出力端子と前記差分負出力端子との間に接続される第２の交差結合反転器ユニットと、を備え、
前記第１の交差結合反転器ユニットは、前記差分正入力端子に接続された入力端子及び前記差分負入力端子に接続された出力端子を有する第１反転器と、前記差分負入力端子に接続された入力端子及び前記前記差分正入力端子に接続された出力端子を有する第２反転器とを備え、前記第１反転器と前記第２反転器とが前記差分正入力端子と差分負入力端子との間に並列に接続されてなり、負のインピーダンス特性を有し、
前記第２の交差結合反転器ユニットは、前記差分正出力端子に接続された入力端子及び前記差分負出力端子に接続された出力端子を有する第３反転器と、前記差分負出力端子に接続された入力端子及び前記差分正出力端子に接続された出力端子を有する第４反転器とを備え、前記第３反転器と前記第４反転器とが前記差分正出力端子と差分負出力端子との間に並列に接続されてなり、負のインピーダンス特性を有する、ことを特徴とするパッシブイコライザ。
【請求項５】
前記第１の交差結合反転器ユニットは、第１の反転器および第２の反転器を備える、請求項４に記載のパッシブイコライザ。
【請求項６】
前記第１の反転器は、前記差分正入力端子に接続される入力端子と、前記差分負入力端子に接続される出力端子とを有し、前記第２の反転器は、前記差分負入力端子に接続される入力端子と、前記差分正入力端子に接続される出力端子とを有する、請求項５に記載のパッシブイコライザ。
【請求項７】
前記第２の交差結合反転器ユニットは、第３の反転器および第４の反転器を備える、請求項４に記載のパッシブイコライザ。
【請求項８】
前記第３の反転器は、前記差分正出力端子に接続される入力端子と、前記差分負出力端子に接続される出力端子とを有し、前記第４の反転器は、前記差分負出力端子に接続される入力端子と、差分正出力端子に接続される出力端子とを有する、請求項７に記載のパッシブイコライザ。
【請求項９】
ゲインを増大させるために負のインピーダンスを利用するパッシブイコライザであって、
２つの端部に差分正出力端子に接続される第１のノードおよび差分正入力端子に接続される第２のノードを備えた第１の抵抗器と、前記第１のノードと前記第２のノードとの間に接続される第１のコンデンサとを有する第１のＲＣループと、
２つの端部に差分負出力端子に接続される第３のノードおよび差分負入力端子に接続される第４のノードを備えた第２の抵抗器と、前記第３のノードと前記第４のノードとの間に接続される第２のコンデンサとを有する第２のＲＣループと、
前記第１のノードと前記第３のノードとの間に接続され、第３の抵抗器と、第４の抵抗器と、前記第３の抵抗器と前記第４の抵抗器との間に接続されるインダクタとを有するカスケードＲＬ回路と、
前記カスケードＲＬ回路に並列に接続され、前記第１のノードと前記第３のノードとの間に接続される交差結合反転器ユニットと、を備え、
前記交差結合反転器ユニットは、前記第１のノードに接続された入力端子及び前記第３のノードに接続された出力端子を有する第１反転器と、前記第３のノードに接続された入力端子及び前記第１のノードに接続された出力端子を有する第２反転器とを備え、前記第１反転器と前記第２反転器とは前記第１のノードと前記第３のノードとの間に並列に接続されてなり、負のインピーダンス特性を有する、ことを特徴とするパッシブイコライザ。
パッシブイコライザ。
【請求項１０】
前記交差結合反転器ユニットは、第１の反転器および第２の反転器を備える、請求項９に記載のパッシブイコライザ。
【請求項１１】
前記第１の反転器は、前記第１のノードに接続される入力端子と、前記第３のノードに接続される出力端子とを有し、前記第２の反転器は、前記第３のノードに接続される入力端子と、前記第１のノードに接続される出力端子とを有する、請求項１０に記載のパッシブイコライザ。
【請求項１２】
ゲインを増大させるために負のインピーダンスを利用するパッシブイコライザであって、
２つの端部に差分正出力端子に接続される第１のノードおよび差分正入力端子に接続される第２のノードを備えた第１の抵抗器と、前記第１のノードと前記第２のノードとの間に接続される第１のコンデンサとを有する第１のＲＣループと、
２つの端部に差分負出力端子に接続される第３のノードおよび差分負入力端子に接続される第４のノードを備えた第２の抵抗器と、前記第３のノードと前記第４のノードとの間に接続される第２のコンデンサとを有する第２のＲＣループと、
前記第１のノードと前記第３のノードとの間に接続され、第３の抵抗器と、第４の抵抗器と、前記第３の抵抗器と前記第４の抵抗器との間に接続されるインダクタとを有するカスケードＲＬ回路と、
前記カスケードＲＬ回路に並列に接続され、前記第２のノードと前記第４のノードとの間に接続される交差結合反転器ユニットと、を備え、
前記交差結合反転器ユニットは、前記第２のノードに接続された入力端子及び前記第４のノードに接続された出力端子を有する第１反転器と、前記第４のノードに接続された入力端子及び前記第２のノードに接続された出力端子を有する第２反転器とを備え、前記第１反転器と前記第２反転器とは前記第２のノードと前記第４のノードとの間に並列に接続されてなり、負のインピーダンス特性を有する、ことを特徴とするパッシブイコライザ。
【請求項１３】
前記交差結合反転器ユニットは、第１の反転器および第２の反転器を備える、請求項１２に記載のパッシブイコライザ。
【請求項１４】
前記第１の反転器は、前記第２のノードに接続される入力端子と、前記第４のノードに接続される出力端子とを有し、前記第２の反転器は、前記第４のノードに接続される入力端子と、前記第２のノードに接続される出力端子とを有する、請求項１３に記載のパッシブイコライザ。
【発明の詳細な説明】
【技術分野】
【０００１】
本発明は、パッシブイコライザに関し、さらに詳細には、ゲインを増大させるために負のインピーダンスを利用するパッシブイコライザに関する。
【背景技術】
【０００２】
パッシブイコライザは、高精細度マルチメディアインターフェイス（ＨＤＭＩ）などの高速シリアル通信リンクにおいて広範囲に用いられている。図１ａおよび図１ｂは、通常のパッシブイコライザ１１に関する通信システムの概略図を示している。パッシブイコライザ１１は、必要に応じて、補正のために、図１ａに示されているように、送信側１に近い位置に、または図１ｂに示されているように、受信側に近い位置に実装されることができる。図２は、通常のパッシブイコライザの回路図であり、抵抗器Ｒ、インダクタＬおよびコンデンサＣなどのパッシブ素子から構成される。
【０００３】
図３は、通常のパッシブイコライザに関するゲインの周波数応答のグラフである。図３に示されているように、パッシブイコライザは、高周波数で、垂直軸における−０．５ｄＢに近いゲインを有し、最大で１に近い。したがって、高周波数のゲインは、制限され、信号復元能力は、芳しくない。さらに、通常のパッシブイコライザにおけるパッシブ素子の特徴値は、容易に調整されることができず、使用における適応性を損なう結果を生じる。
【発明の開示】
【発明が解決しようとする課題】
【０００４】
それゆえに、上述の問題を軽減するか、および／または未然に防止するように改善されたパッシブイコライザを提供することが望ましい。
【０００５】
本発明の目的は、ゲインを増大させるために負のインピーダンスを用いることができるパッシブイコライザを提供することである。
【課題を解決するための手段】
【０００６】
本発明の目的は、ゲインを増大させるために負のインピーダンスを用いることができるパッシブイコライザを提供することである。
【０００７】
本発明の特徴によれば、ゲインを増大させるために負のインピーダンスを利用するパッシブイコライザが提供される。パッシブイコライザは、第１のＲＣループ、第２のＲＣループ、カスケードＲＬ回路および交差結合反転器ユニットを含む。第１のＲＣループは、第１の抵抗器と、第１のノードで第１の抵抗器に直列に接続され、それによって第１の抵抗器直列を形成する第２の抵抗器と、第１の抵抗器直列に並列に接続される第１のコンデンサとを含む。第２のＲＣループは、第３の抵抗器と、第２のノードで第３の抵抗器に直列に接続され、それによって第２の抵抗器直列を形成する第４の抵抗器と、第２の抵抗器直列に並列に接続される第２のコンデンサとを含む。カスケードＲＬ回路は、第１のノードと第２のノードとの間に接続され、第５の抵抗器と、第６の抵抗器と、第５の抵抗器と第６の抵抗器との間に接続されるインダクタとを含む。
【０００８】
交差結合反転器ユニットは、カスケードＲＬ回路に並列に接続され、第１のノードと第２のノードとの間に接続される。
【０００９】
本発明の別の特徴によれば、ゲインを増大させるために負のインピーダンスを利用するパッシブイコライザが提供される。パッシブイコライザは、第１のＲＣループ、第２のＲＣループ、カスケードＲＬ回路、第１の交差結合反転器ユニットおよび第２の交差結合反転器ユニットを含む。第１のＲＣループは、第１の抵抗器と、第１のノードで第１の抵抗器に直列に接続され、それによって第１の抵抗器直列を形成する第２の抵抗器と、第１の抵抗器直列に並列に接続される第１のコンデンサとを含む。第１のＲＣループの２つの端部はそれぞれ、差分正入力端子および差分正出力端子として機能する。第２のＲＣループは、第３の抵抗器と、第２のノードで第３の抵抗器に直列に接続され、それによって第２の抵抗器直列を形成する第４の抵抗器と、第２の抵抗器直列に並列に接続される第２のコンデンサとを含む。第２のＲＣループの２つの端部はそれぞれ、差分負入力端子および差分負出力端子として機能する。
【００１０】
カスケードＲＬ回路は、第１のノードと第２のノードとの間に接続され、第５の抵抗器と、第６の抵抗器と、第５の抵抗器と第６の抵抗器との間に接続されるインダクタとを含む。第１の交差結合反転器ユニットは、カスケードＲＬ回路に並列に接続され、差分正入力端子と差分負入力端子との間に接続される。第２の交差結合反転器ユニットは、カスケードＲＬ回路に並列に接続され、差分正出力端子と差分負出力端子との間に接続される。
本発明のさらなる特徴によれば、ゲインを増大させるために負のインピーダンスを利用するパッシブイコライザが提供される。パッシブイコライザは、第１のＲＣループ、第２のＲＣループ、カスケードＲＬ回路および交差結合反転器ユニットを含む。第１のＲＣループは、２つの端部に第１のノードおよび第２のノードを備えた第１の抵抗器と、第１のノードと第２のノードとの間に接続される第１のコンデンサとを含む。第２のＲＣループは、２つの端部に第３のノードおよび第４のノードを備えた第２の抵抗器と、第３のノードと第４のノードとの間に接続される第２のコンデンサとを含む。カスケードＲＬ回路は、第１のノードと第３のノードとの間に接続され、第３の抵抗器と、第４の抵抗器と、第３の抵抗器と第４の抵抗器との間に接続されるインダクタとを含む。交差結合反転器ユニットは、カスケードＲＬ回路に並列に接続され、第１のノードと第３のノードとの間に接続される。
【００１１】
本発明のさらに別の特徴によれば、ゲインを増大させるために負のインピーダンスを利用するパッシブイコライザが提供される。パッシブイコライザは、第１のＲＣループ、第２のＲＣループ、カスケードＲＬ回路および交差結合反転器ユニットを含む。第１のＲＣループは、２つの端部に第１のノードおよび第２のノードを備えた第１の抵抗器と、第１のノードと第２のノードとの間に接続される第１のコンデンサとを含む。第２のＲＣループは、２つの端部に第３のノードおよび第４のノードを備えた第２の抵抗器と、第３のノードと第４のノードとの間に接続される第２のコンデンサとを含む。カスケードＲＬ回路は、第１のノードと第３のノードとの間に接続され、第３の抵抗器と、第４の抵抗器と、第３の抵抗器と第４の抵抗器との間に接続されるインダクタとを含む。交差結合反転器ユニットは、カスケードＲＬ回路に並列に接続され、第２のノードと第４のノードとの間に接続される。
【００１２】
本発明の他の目的、利点および新規な特徴は、添付図面と合わせて理解すれば、以下の詳細な説明からより明白となるであろう。
【発明を実施するための最良の形態】
【００１３】
図４は、本発明の実施形態による、ゲインを増大させるために負のインピーダンスを利用するパッシブイコライザの回路である。図４において、パッシブイコライザは、２つのＲＣループ４０１および４０３、カスケードＲＬ回路４０５および交差結合反転器ユニット４０７を含む。
【００１４】
ＲＣループ４０１は、コンデンサＣ１、抵抗器Ｒ１および抵抗器Ｒ２を含む。抵抗器直列Ｒ１−Ｒ２は、ノードＮ１で抵抗器Ｒ１および抵抗器Ｒ２を接続することによって形成される。コンデンサＣ１は、抵抗器直列Ｒ１−Ｒ２に並列に接続される。ＲＣループ４０３は、コンデンサＣ２、抵抗器Ｒ３および抵抗器Ｒ４を含む。抵抗器直列Ｒ３−Ｒ４は、ノードＮ２で抵抗器Ｒ３および抵抗器Ｒ４を接続することによって形成される。コンデンサＣ２は、抵抗器直列Ｒ３−Ｒ４に並列に接続される。カスケードＲＬ回路４０５は、インダクタＬ１、抵抗器Ｒ５および抵抗器Ｒ６を含む。インダクタＬ１の２つの端部は、抵抗器Ｒ５および抵抗器Ｒ６にそれぞれ接続される。
【００１５】
カスケードＲＬ回路４０５の２つの端部は、ノードＮ１およびノードＮ２にそれぞれ接続される。交差結合反転器ユニット４０７は、カスケードＲＬ回路４０５に並列に接続され、ノードＮ１およびノードＮ２にそれぞれ接続される２つの端部を有する。交差結合反転器ユニット４０７は、２つの反転器４０７１および４０７３を含む。反転器４０７１は、ノードＮ１に接続される入力端子およびノードＮ２に接続される出力端子を有する。反転器４０７３は、ノードＮ１に接続される出力端子を有する。この実施形態において、パッシブイコライザは、双方向信号伝送に関する用途向けのイコライザである。すなわち、ＲＣループ４０１または４０３の各端部は、入力端子または出力端子として作用することができる。
【００１６】
低周波数で、パッシブイコライザは、Ｒ５／（Ｒ１＋Ｒ５）の回路ゲインを有することができ、したがって、抵抗器の抵抗は、回路ゲインを決定するために調整されることができる。交差結合反転器ユニット４０７は、電圧源に等価である負のインピーダンスの特徴を有するため、したがって、高周波数の動作で、等価な電圧源は、インダクタおよびコンデンサに電流を提供することができる。このようにして、高周波数ゲインを効果的に増大し、アクティブ素子は、パッシブ素子を支援することができる。この場合には、良好な性能を得るためには、ごく少量の消費電流が必要とされる。
【００１７】
図５は、本発明の別の実施形態によるゲインを増大させるために負のインピーダンスを利用するパッシブイコライザの回路である。図５において、パッシブイコライザは、２つのＲＣループ５０１および５０３、カスケードＲＬ回路５０５および２つの交差結合反転器ユニット５０７および５０９を含む。ＲＣループ５０１は、コンデンサＣ１、２つの抵抗器Ｒ１およびＲ２を含む。抵抗器直列Ｒ１−Ｒ２は、ノードＮ１で抵抗器Ｒ１を抵抗器Ｒ２に接続することによって形成される。コンデンサＣ１は、抵抗器直列Ｒ１−Ｒ２に並列に接続される。ＲＣループ５０１の２つの端部は、差分正入力端子および差分正出力端子として機能することができる。ＲＣループ５０３は、コンデンサＣ２、２つの抵抗器Ｒ３およびＲ４を含む。抵抗器直列Ｒ３−Ｒ４は、ノードＮ２で抵抗器Ｒ３を抵抗器Ｒ４に接続することによって形成される。
【００１８】
コンデンサＣ２は、抵抗器直列Ｒ３−Ｒ４に並列に接続される。ＲＣループ５０３の２つの端部は、差分負入力端子および差分負出力端子としてそれぞれ機能する。カスケードＲＬ回路５０５は、インダクタＬ１、２つの抵抗器Ｒ５およびＲ６を含む。インダクタＬ１は、抵抗器Ｒ５と抵抗器Ｒ６との間に接続される。カスケードＲＬ回路５０５の２つの端部は、ノードＮ１およびノードＮ２にそれぞれ接続される。交差結合反転器ユニット５０７は、カスケードＲＬ回路５０５に並列に接続される。交差結合反転器ユニット５０７の２つの端部は、差分正入力端子および差分負入力端子にそれぞれ接続される。交差結合反転器ユニット５０９の２つの端部は、差分正出力端子および差分負出力端子にそれぞれ接続される。
【００１９】
交差結合反転器ユニット５０７は、２つの反転器５０７１および５０７３を含む。反転器５０７１は、差分正入力端子に接続される入力端子および差分負入力端子に接続される出力端子を有する。反転器５０７３は、差分負入力端子に接続される入力端子および差分正入力端子に接続される出力端子を有する。交差結合反転器ユニット５０９は、２つの反転器５０９１および５０９３を含む。反転器５０９１は、差分正出力端子に接続される入力端子および差分負出力端子に接続される出力端子を有する。反転器５０９３は、差分負出力端子に接続される入力端子および差分正出力端子に接続される出力端子を有する。
【００２０】
この実施形態において、パッシブイコライザは、双方向信号伝送に関する用途向けのイコライザである。すなわち、ＲＣループ４０１または４０３の各端部は、入力端子または出力端子として作用することができる。
【００２１】
低周波数で、パッシブイコライザは、Ｒ５／（Ｒ１＋Ｒ５）の回路ゲインを有することができ、したがって、抵抗器の抵抗は、回路ゲインを決定するために調整されることができる。交差結合反転器ユニット５０７および５０９は、電圧源に等価である負のインピーダンスの特徴を有するため、したがって、高周波数の動作で、等価な電圧源は、インダクタおよびコンデンサに電流を提供することができる。このようにして、高周波数ゲインを効果的に増大し、アクティブ素子は、パッシブ素子を支援することができる。この場合には、良好な性能を得るためには、ごく少量の消費電流が必要とされる。
【００２２】
図６は、本発明のさらなる実施形態によるゲインを増大させるために負のインピーダンスを利用するパッシブイコライザの回路である。図６において、パッシブイコライザは、２つのＲＣループ６０１および６０３、カスケードＲＬ回路６０５および交差結合反転器ユニット６０７を含む。
【００２３】
ＲＣループ６０１は、コンデンサＣ１および抵抗器Ｒ１を含む。抵抗器Ｒ１の２つの端部はそれぞれ、ノードＮ１およびノードＮ２である。コンデンサＣ２は、ノードＮ１とノードＮ２との間に接続される。ＲＣループ６０３は、抵抗器Ｒ２およびコンデンサＣ２を含む。抵抗器Ｒ２の２つの端部はそれぞれ、ノードＮ３およびノードＮ４である。コンデンサＣ２は、ノードＮ３とノードＮ４との間に接続される。カスケードＲＬ回路６０５は、インダクタＬ１、２つの抵抗器Ｒ３およびＲ４を含む。
【００２４】
インダクタＬ１の２つの端部は、抵抗器Ｒ３およびＲ４にそれぞれ接続される。カスケードＲＬ回路６０５の２つの端部は、ノードＮ１およびノードＮ３にそれぞれ接続される。交差結合反転器ユニット６０７は、カスケードＲＬ回路６０５に並列に接続される。交差結合反転器ユニット６０７の２つの端部は、ノードＮ１およびノードＮ３にそれぞれ接続される。交差結合反転器ユニット６０７は、２つの反転器６０７１および６０７３を含む。反転器６０７１は、ノードＮ１に接続される入力端子およびノードＮ３に接続される出力端子を有する。反転器６０７３は、ノードＮ３に接続される入力端子およびノードＮ１に接続される出力端子を有する。ノードＮ１は、差分正出力端子に接続される。ノードＮ２は、差分正入力端子に接続される。ノードＮ３は、差分負出力端子に接続される。ノードＮ４は、差分負入力端子に接続される。パッシブイコライザは、ＨＤＭＩ／ディスプレイポートなどの一方向信号伝送に関する用途向けのイコライザである。
【００２５】
低周波数で、パッシブイコライザは、Ｒ３／（Ｒ１＋Ｒ３）の回路ゲインを有することができ、したがって、抵抗器の抵抗は、回路ゲインを決定するために調整されることができる。交差結合反転器ユニット６０７は、電圧源に等価である負のインピーダンスの特徴を有するため、したがって、高周波数の動作で、等価な電圧源は、インダクタおよびコンデンサに電流を提供することができる。このようにして、高周波数ゲインを効果的に増大し、アクティブ素子は、パッシブ素子を支援することができる。この場合には、良好な性能を得るためには、ごく少量の消費電流が必要とされる。
【００２６】
図７は、本発明のさらに別の実施形態によるゲインを増大させるために負のインピーダンスを利用するパッシブイコライザの回路である。図７において、パッシブイコライザは、２つのＲＣループ７０１および７０３、カスケードＲＬ回路７０５および交差結合反転器ユニット７０７を含む。
【００２７】
ＲＣループ７０１は、コンデンサＣ１および抵抗器Ｒ１を含む。抵抗器Ｒ１の２つの端部はそれぞれ、ノードＮ１およびノードＮ２である。コンデンサＣ２は、ノードＮ１とノードＮ２との間に接続される。ＲＣループ７０３は、コンデンサＣ２および抵抗器Ｒ２を含む。抵抗器Ｒ２の２つの端部はそれぞれ、ノードＮ３およびノードＮ４である。コンデンサＣ２は、ノードＮ３とノードＮ４との間に接続される。カスケードＲＬ回路７０５は、インダクタＬ１、２つの抵抗器Ｒ３およびＲ４を含む。インダクタＬ１の２つの端部は、抵抗器Ｒ３およびＲ４にそれぞれ接続される。カスケードＲＬ回路７０５の２つの端部は、ノードＮ１およびノードＮ３にそれぞれ接続される。交差結合反転器ユニット７０７は、カスケードＲＬ回路７０５に並列に接続される。交差結合反転器ユニット７０７の２つの端部は、ノードＮ２およびノードＮ４にそれぞれ接続される。交差結合反転器ユニット７０７は、２つの反転器７０７１および７０７３を含む。反転器７０７１は、ノードＮ２に接続される入力端子およびノードＮ４に接続される出力端子を有する。反転器７０７３は、ノードＮ４に接続される入力端子およびノードＮ２に接続される出力端子を有する。
【００２８】
ノードＮ１は、差分正出力端子に接続される。ノードＮ２は、差分正入力端子に接続される。ノードＮ３は、差分負出力端子に接続される。ノードＮ４は、差分負入力端子に接続される。パッシブイコライザは、ＨＤＭＩ／ディスプレイポートなどの一方向信号伝送に関する用途向けのイコライザである。
【００２９】
低周波数で、パッシブイコライザは、Ｒ３／（Ｒ１＋Ｒ３）の回路ゲインを有することができ、したがって、抵抗器の抵抗は、回路ゲインを決定するために調整されることができる。交差結合反転器ユニット７０７は、電圧源に等価である負のインピーダンスの特徴を有するため、したがって、高周波数の動作で、等価な電圧源は、インダクタおよびコンデンサに電流を提供することができる。このようにして、高周波数ゲインを効果的に増大し、アクティブ素子は、パッシブ素子を支援することができる。この場合には、良好な性能を得るためには、ごく少量の消費電流が必要とされる。
【００３０】
図８ａ、図８ｂ、図９ａ、図９ｂは、本発明によるパッシブイコライザの交差結合反転器ユニットの回路である。本発明におけるパッシブイコライザの交差結合反転器ユニットは、２つの反転器（図８ａに示される）、差分増幅器（図９ａに示される）またはソース退化トポロジ（図８ｂ、図９ｂに示される）によって実装されることができる。
【００３１】
図１０は、本発明によるパッシブイコライザのゲインの周波数応答のグラフである。図１０に示されるように、図４のパッシブイコライザのゲイン周波数応答は、実線の曲線によって示され、図５のパッシブイコライザのゲイン周波数応答は、点線の曲線によって示される。図３（従来技術）および図１０（本発明）に示されているように、従来技術では高周波数でパッシブイコライザは、垂直軸において−０．５ｄＢに近く、本発明では高周波数（２ＧＨｚ）でパッシブイコライザは、垂直軸において−２．５ｄＢに近く、従来技術における−０．５ｄＢよりはるかに良好である。その結果、パッシブイコライザは、高周波数で相対的に改善される。
【００３２】
前述に鑑みて、少量の消費電力で、本発明のパッシブイコライザは、交差結合反転器ユニットの負のインピーダンスを用いて、高周波数ゲインにおいて相当の改善を得ることができる。
【００３３】
本発明はその好ましい実施形態に関して説明されているが、多くの他の可能な改変および変形は、以下の請求項に記載されているように本発明の精神および範囲を逸脱することなく行われることができることは理解されるべきである。
【図面の簡単な説明】
【００３４】
【図１ａ】通常のパッシブイコライザに関する通信システムの概略図である。
【図１ｂ】通常のパッシブイコライザに関する通信システムの概略図である。
【図２】通常のパッシブイコライザの回路である。
【図３】通常のパッシブイコライザのゲインの周波数応答のグラフである。
【図４】本発明の実施形態によるゲインを増大させるために負のインピーダンスを利用するパッシブイコライザの回路である。
【図５】本発明の別の実施形態によるゲインを増大させるために負のインピーダンスを利用するパッシブイコライザの回路である。
【図６】本発明のさらなる実施形態によるゲインを増大させるために負のインピーダンスを利用するパッシブイコライザの回路である。
【図７】本発明のさらに別の実施形態によるゲインを増大させるために負のインピーダンスを利用するパッシブイコライザの回路である。
【図８ａ】図４のパッシブイコライザの交差結合反転器ユニットの回路である。
【図８ｂ】図５のパッシブイコライザの交差結合反転器ユニットの回路である。
【図９ａ】図６のパッシブイコライザの交差結合反転器ユニットの回路である。
【図９ｂ】図７のパッシブイコライザの交差結合反転器ユニットの回路である。
【図１０】本発明によるパッシブイコライザのゲインの周波数応答のグラフである。
【符号の説明】
【００３５】
１１  パッシブエコライザー
Ｎ１  ノード
Ｎ２  ノード
【図１ａ】
0004852085.tif 000002
【図１ｂ】
0004852085.tif 000003
【図２】
0004852085.tif 000004
【図３】
0004852085.tif 000005
【図４】
0004852085.tif 000006
【図５】
0004852085.tif 000007
【図６】
0004852085.tif 000008
【図７】
0004852085.tif 000009
【図８ａ】
0004852085.tif 000010
【図８ｂ】
0004852085.tif 000011
【図９ａ】
0004852085.tif 000012
【図９ｂ】
0004852085.tif 000013
【図１０】
0004852085.tif 000014